(57)【要約】【課題】立て掛けられたボンベが倒れることを、簡単な作業で効果的に防止する。【解決手段】転倒防止装置１０は、立て掛けられた状態のボンベ９が前方に転倒することを防止する装置であって、スライド体２とアーム部３を備える。スライド体２は、収納位置とこれより前方の引出し位置Ｐ２２との間で、前後にスライド自在である。アーム部３は、スライド体２に、起立姿勢と横臥姿勢Ｐ３２との間で起倒自在となるように支持されている。スライド体２が引出し位置Ｐ２２にあり、かつ、アーム部３が横臥姿勢Ｐ３２にあるときに、アーム部３がボンベ９の前方を横切るように位置し、ボンベ９の転倒を防止する。【選択図】図５
2020204359.tif 000002
【特許請求の範囲】
【請求項１】
立て掛けられた状態のボンベが前方に転倒することを防止する装置であって、
収納位置とこれより前方の引出し位置との間で、前後にスライド自在なスライド体と、
前記スライド体に、起立姿勢と横臥姿勢との間で起倒自在となるように支持されたアーム部と、を備え、
前記スライド体が前記引出し位置にあり、かつ、前記アーム部が前記横臥姿勢にあるときに、前記アーム部が前記ボンベの前方を横切るように位置し、前記ボンベの転倒を防止する
転倒防止装置。
【請求項２】
前記アーム部は、上アームと、これより下方に位置する下アームと、前記上アームと前記下アームを連動させるリンク機構と、を含む
請求項１の転倒防止装置。
【請求項３】
前記アーム部は、回転時にこれに抗するトルクを発生させるジョイントを介して、前記スライド体に対して起倒自在に支持されている
請求項１または２の転倒防止装置。
【請求項４】
前記アーム部は、前記スライド体に対して左側と右側にそれぞれ設けられ、
左右の前記アーム部がともに前記横臥姿勢にあるとき、左右の前記アーム部は、互いに離れる方向に突出する
請求項１から３のいずれか一項の転倒防止装置。
【請求項５】
左右の前記アーム部がともに前記起立姿勢にある状態で、左右の前記アーム部を着脱自在に連結させる連結機構を、備える
請求項４の転倒防止装置。
【請求項６】
前記連結機構は、左右の前記アーム部の一方に設けられたフックを含み、
前記フックは、左右の前記アーム部の他方に着脱自在に引っ掛かる
請求項５の転倒防止装置。
【請求項７】
前記スライド体を前後にスライド自在に支持する複数のスライドレールを、備え、
前記複数のスライドレールの各々は、前後にスライド自在に連結された二つのレールを有し、
前記複数のスライドレールのうち、一つのスライドレールにおいて前記二つのレールが重なる方向と、他のスライドレールにおいて前記二つのレールが重なる方向は、互いに異なる
請求項１から６のいずれか一項の転倒防止装置。
【請求項８】
前記スライド体に取り付けられたストッパーを、備え、
前記ストッパーは、前記アーム部が前記横臥姿勢にあるときに、前記アーム部が前方に傾くことを抑えるものである
請求項１から７のいずれか一項の転倒防止装置。
【請求項９】
請求項１から８のいずれか一項の転倒防止装置と、
前記ボンベが立て掛けられる充填台と、
前記充填台に設置され、前記ボンベにガスを充填するように設けられた充填装置と、を備える
ガス充填用設備。
【発明の詳細な説明】
【技術分野】
【０００１】
本発明は、転倒防止装置及びこれを備えたガス充填用設備に関する。
【背景技術】
【０００２】
従来、ボンベを立て掛けてセットする際に、地震等を原因としてボンベが転倒することを防止するために、ボンベの胴部を囲むようにチェーンを掛けることが行われている（特許文献１等参照）。
【先行技術文献】
【特許文献】
【０００３】
【特許文献１】特開２０００−３５１９８号公報
【発明の概要】
【発明が解決しようとする課題】
【０００４】
上記した従来の技術では、ボンベをセットする際にチェーンを掛けてゆき、このボンベを取り外す際にはチェーンを取り外す作業が必要であり、作業者にとっては煩雑な作業が強いられていた。
【０００５】
本発明は、立て掛けられたボンベが倒れることを、簡単な作業で効果的に防止することができる転倒防止装置及びガス充填用設備を提案することを、目的とする。
【課題を解決するための手段】
【０００６】
本発明の一態様に係る転倒防止装置は、立て掛けられた状態のボンベが前方に転倒することを防止する装置であって、収納位置とこれより前方の引出し位置との間で、前後にスライド自在なスライド体と、前記スライド体に、起立姿勢と横臥姿勢との間で起倒自在となるように支持されたアーム部とを備え、前記スライド体が前記引出し位置にあり、かつ、前記アーム部が前記横臥姿勢にあるときに、前記アーム部が前記ボンベの前方を横切るように位置し、前記ボンベの転倒を防止する。
【０００７】
本発明の一態様に係るガス充填用設備は、前記転倒防止装置と、前記ボンベが立て掛けられる充填台と、前記充填台に設置され、前記ボンベにガスを充填するように設けられた充填装置とを備える。
【発明の効果】
【０００８】
本発明は、立て掛けられたボンベが倒れることを、簡単な作業で効果的に防止することができるという効果を奏する。
【図面の簡単な説明】
【０００９】
【図１】図１は、一実施形態のガス充填用設備を示す正面図である。
【図２】図２は、同上のガス充填用設備が備える転倒防止装置の収納状態を示す側面図である。
【図３】図３は、同上の転倒防止装置を引き出した状態を示す側面図である。
【図４】図４は、同上の状態を示す正面図である。
【図５】図５は、同上の転倒防止装置においてアーム部３を倒した状態を示す正面図である。
【図６】図６は、同上の状態を示す平面図である。
【図７】図７は、図６の要部を拡大して示す平面図である。
【図８】図８は、同上の要部において左側のアーム部を持ち上げた状態を示す正面図である。
【発明を実施するための形態】
【００１０】
（一実施形態）
図１には、一実施形態のガス充填用設備１を示している。ガス充填用設備１は、複数（多数）のボンベ９に対して、同時並行的にガスの充填作業を行うことができる設備である。ボンベ９は、高圧のガスを充填することができる完全密閉可能な円筒状の容器であり、その上端部にはバルブ９２が設けられている。
【００１１】
ガス充填用設備１は、充填装置１４が設置された充填台１２を備えており、充填台１２に対して、複数のボンベ９を左右に並ぶようにして立て掛けることが可能である。なお、本文で用いる左右の各方向は、図１等に示す左右方向を基準とし、この左右方向及び上下方向と直交する前後方向において、充填台１２に対してここに立て掛けられたボンベ９が位置する方を前方、その逆を後方という。
【００１２】
充填装置１４は、複数のボンベ９に対して着脱自在に装着される複数の充填経路１４１を有する。複数の充填経路１４１は、左右に一列で並ぶように充填台１２に設置されている。複数の充填経路１４１は、複数のボンベ９の上方に一対一で位置するように設けられている。
【００１３】
各充填経路１４１は、開閉自在な充填弁１４２と、充填弁１４２から延長されたフレキシブルホース１４３と、フレキシブルホース１４３の先端に設けられた充填金具１４４を有する。充填金具１４４をボンベ９のバルブ９２に装着し、充填弁１４２とバルブ９２を開弁した状態で、ボンベ９に高圧のガスを充填することができる。
【００１４】
充填台１２のうち複数のボンベ９が一対一で立て掛けられる複数の個所には、それぞれ、後方に向けて円弧状に凹んだ受け部１２１が設けられている（図６参照）。受け部１２１は、ボンベ９の背面を受ける部分であり、ボンベ９に接触する部分には振動吸収用の緩衝部材１２２が設けられている。緩衝部材１２２は、例えばゴムで形成されている。
【００１５】
更に、一実施形態のガス充填用設備１は、充填台１２に立て掛けられた複数のボンベ９が転倒することを防止するための複数の転倒防止装置１０を備えている。これらの転倒防止装置１０を備えることで、地震等が発生したときにも各ボンベ９が転倒することを防止することができ、しかも、各ボンベ９を交換する作業も簡単に行うことができる。
【００１６】
複数の転倒防止装置１０には、左右両側でボンベ９の転倒を防止するタイプ（以下「両側タイプ」）のものと、左右の片側でボンベ９の転倒を一括的に防止するタイプ（以下「片側タイプ」）のものが、含まれている。両側タイプの転倒防止装置１０は、左右両側において複数本（二本）のボンベ９を転倒防止するように構成されており、都合四本のボンベ９の転倒を防止することができる。片側タイプの転倒防止装置１０は、左右の片側において複数本（二本）のボンベ９を転倒防止するように構成されている。
【００１７】
両側タイプの転倒防止装置１０は、転倒防止用のアーム部３を左側と右側の両方に備えているのに対して、片側タイプの転倒防止装置１０は、転倒防止用のアーム部３を左右の一方にだけ備えているが、その他の点において、基本的な構成は共通である。
【００１８】
図２から図８には、両側タイプの転倒防止装置１０を示している。以下においては、両側タイプの転倒防止装置１０について説明する。
【００１９】
転倒防止装置１０は、充填台１２に設置された複数のスライドレール６と、これら複数のスライドレール６を介して充填台１２に前後スライド自在に支持されたスライド体２と、スライド体２の前端部に起倒自在に支持された左右のアーム部３を備える。スライド体２は、図２に示す収納位置Ｐ２１と図３に示す引出し位置Ｐ２２との間で前後スライド自在であり、左右のアーム部３は、図４に示す起立姿勢Ｐ３１と図５に示す横臥姿勢Ｐ３２との間で回転自在である。
【００２０】
複数のスライドレール６について、更に詳しく説明する。
【００２１】
図２、図３に示すように、複数のスライドレール６は、上下に互いに距離をあけて位置する三つのスライドレール６である。三つのスライドレール６は、スライド体２の上部に連結された上スライドレール６ａと、スライド体２の下部に連結された下スライドレール６ｂと、上下方向において上スライドレール６ａと下スライドレール６ｂの間に位置するようにスライド体２に連結された中間スライドレール６ｃである。
【００２２】
上スライドレール６ａ、下スライドレール６ｂ及び中間スライドレール６ｃの基本的な構造は共通であり、いずれもベアリング部材６２とこれを介して前後にスライド自在に連結された二つのレール６４，６６を有する。二つのレール６４，６６は、固定レール６４と可動レール６６である。固定レール６４が充填台１２の側に取り付けられ、可動レール６６がスライド体２の側に取り付けられている。
【００２３】
上スライドレール６ａと下スライドレール６ｂは横置きで設置され、中間スライドレール６ｃは縦置きで設置されている。つまり、上スライドレール６ａと下スライドレール６ｂにおいては、長板状である固定レール６４と可動レール６６が、上下方向おいて互いに重なるように設置されている。これに対して、中間スライドレール６ｃにおいては、固定レール６４と可動レール６６が、左右方向において互いに重なるように設置されている。
【００２４】
このように、複数のスライドレール６（６ａ，６ｂ，６ｃ）のうち、一つのスライドレール６（６ｃ）において固定レール６４と可動レール６６が重なる方向（左右方向）を、他のスライドレール６（６ａ，６ｂ）において固定レール６４と可動レール６６が重なる方向（上下方向）と９０度異ならせていることで、複数のスライドレール６のぐらつき易い方向が互いに打ち消し合う。これにより、スライド体２のぐらつき（特にスライド体２を前方に引き出したときに下に落ちること）が抑えられる。本文中でいう９０度は、厳密な意味での９０度に限定されず、略９０度の場合も含む。
【００２５】
複数のスライドレール６のうち少なくとも一つには、ストッパーが設けられていることが好ましい。このストッパーは、固定レール６４と可動レール６６が図２に示すような収納状態にあるときに、可動レール６６の前方へのスライド移動に対して抗力を与える部材であり、例えば、可動レール６６に摩擦力を与える樹脂部材で構成される。
【００２６】
次に、スライド体２について、更に詳しく説明する。
【００２７】
図２に示すように、複数のスライドレール６が収納状態にあるときに、スライド体２は、自身がスライド可能な範囲において最も後方の収納位置Ｐ２１にある。図３に示すように、複数のスライドレール６が伸長状態にあるときに、スライド体２は、自身がスライド可能な範囲において最も前方の引出し位置Ｐ２２にある。
【００２８】
スライド体２の前部は、上下に一直線状の縦片２１と、縦片２１の上部に形成された取手部分２２を含んでいる。取手部分２２は、作業者が自身の手指を挿し通すことができる挿通口２２１と、挿通口２２１の前方に形成されたグリップ２２５を有する。作業者は、挿通口２２１に通した自身の手指でグリップ部２２５を掴み、スライド体２を前後にスライド操作することができる。
【００２９】
縦片２１には、左右のアーム部３がそれぞれ回転自在に連結されている。両側タイプの転倒防止装置１０において、左右のアーム部３は線対称の構成を備えており、左右のアーム部３の基本的な構成は共通である。
【００３０】
以下においては、アーム部３の構成について、左右の区別なく一括的に説明する。
【００３１】
アーム部３は、棒状の上アーム３１と、これより下方に位置する棒状の下アーム３３と、上アーム３１と下アーム３３を連動させるリンク機構３５を含んでいる。上アーム３１と下アーム３３は、互いに寸法形状が同一の丸棒状の金属部材である。
【００３２】
縦片２１には、アーム部３を回転自在に支持するためのジョイント５が複数設けられている。より具体的には、縦片２１の上部に、上アーム３１を回転自在に支持するためのジョイント５が設けられ、縦片２１の下部に、下アーム３３を回転自在に支持するための別のジョイント５が設けられている。
【００３３】
リンク機構３５は、上アーム３１と下アーム３３に回転自在に連結された連結棒３５０を含んでいる。上下に長い連結棒３５０の上端部が、上アーム３１のうちその長さ方向の中間部分に連結され、連結棒３５０の下端部が、下アーム３３のうちその長さ方向の中間部分に連結されている。この連結棒３５０を介して、上アーム３１と下アーム３３は、互いに同じ姿勢をとるように連動する。
【００３４】
図４等に示すように、上アーム３１が起立姿勢をとるとき、連動して下アーム３３も起立姿勢をとる。上アーム３１と下アーム３３が共に起立姿勢にあるときが、アーム部３の起立姿勢Ｐ３１である。アーム部３の起立姿勢Ｐ３１は、アーム部３が全体として上方に伸びるように起立した姿勢である。すなわち、アーム部３の起立姿勢Ｐ３１は、上アーム３１が上方に伸びるように起立し、かつ、下アーム３３が上方に伸びるように起立し、正面視において上アーム３１と下アーム３３と連結棒３５０が一直線状に重なる姿勢である。
【００３５】
同様に、上アーム３１が横臥姿勢をとるとき、連動して下アーム３３も横臥姿勢をとる（図５参照）。上アーム３１と下アーム３３が共に横臥姿勢にあるときが、アーム部３の横臥姿勢Ｐ３２である。アーム部３の横臥姿勢Ｐ３２は、アーム部３が全体として側方に伸びるように倒れた姿勢である。すなわち、アーム部３の横臥姿勢Ｐ３２は、上アーム３１が側方に伸びるように倒れ、かつ、下アーム３３が側方に伸びるように倒れた姿勢である。
【００３６】
アーム部３を支持するジョイント５は、ここでのアーム部３の回転に抗するトルクを発生させるように、トルクヒンジ５０を用いて構成されている。
【００３７】
以下においては、トルクヒンジ５０について説明する。
【００３８】
図７、図８等に示すように、トルクヒンジ５０は、回転軸５１と、回転軸５１を介して回転自在に連結された一対の羽根板５３と、一対の羽根板５３の間に挟み込まれた樹脂製の中間部材５５を備える。トルクヒンジ５０は、一対の羽根板５３が相対的に回転するときに、一対の羽根板５３の少なくとも一方と中間部材５５が摺接して摩擦力を生じることで、回転に抗するトルクを発生させる。
【００３９】
上アーム３１に連結される上側のトルクヒンジ５０においては、一対の羽根板５３の一方が、縦片２１の上端部に固定され、一対の羽根板５３の他方が、上アーム３１の基部に固定される。これにより、上アーム３１は、垂直な起立姿勢と水平な横臥姿勢との間で姿勢を変えるように、９０度の範囲内で起倒自在となっている。本文中で用いる垂直の文言は、厳密な意味での垂直に限定されず、略垂直な場合も含む。同様に、本文中で用いる水平の文言は、厳密な意味での水平に限定されず、略水平な場合も含む。
【００４０】
下アーム３３に連結される下側のトルクヒンジ５０においては、一対の羽根板５３の一方が、縦片２１の下端部に固定され、一対の羽根板５３の他方が、下アーム３３の基部に固定される（図２、図３参照）。これにより、下アーム３３は、起立姿勢と横臥姿勢との間で姿勢を変えるように、９０度の範囲内で起倒自在となっている。
【００４１】
加えて、スライド体２には、当接部材７とストッパー８が設けられている。当接部材７は、アーム部３の回転を横臥姿勢Ｐ３２において安定的に止める部材である。ストッパー８は、横臥姿勢Ｐ３２にあるアーム部３が前方に傾くことを抑える部材である。
【００４２】
当接部材７について、更に説明する。
【００４３】
図８には、アーム部３に含まれる上アーム３１を、水平な横臥姿勢で止めるための当接部材７を示している。当接部材７は、上アーム３１が横臥姿勢にあるときに、上アーム３１が有する平坦な基端面と当接するように、スライド体２の上部に取り付けられた平板状の金属部材である。当接部材７は、上アーム３１を支持するトルクヒンジ５０のうち、スライド体２の上部に固定された羽根板５３を介して、スライド体２にビス固定されている。つまり、当接部材７は、スライド体２との間に羽根板５３を挟み込んだ状態で、羽根板５３と共にスライド体２に固定されている。
【００４４】
図２、図３に示すように、スライド体２の下部には、下アーム３３を横臥姿勢で止めるために同様の当接部材７が固定されている。下側の当接部材７の構成は、上側の当接部材７の構成と同様である。下側の当接部材７は、横臥姿勢にある下アーム３３の基端面と当たるように、下側のトルクヒンジ５０の羽根板５３を介してスライド体２の下部に固定されている。
【００４５】
次に、ストッパー８について説明する。
【００４６】
図５、図６等に示すように、スライド体２には、上アーム３１の前方への傾きを抑えるための上側のストッパー８と、下アーム３３の前方への傾きを抑えるための下側のストッパー８が取り付けられている。
【００４７】
上側のストッパー８は、スライド体２の前部の上端部に固定された、平板状の金属板８１で構成されている。金属板８１は、その厚み方向が前後方向となるように、縦置きの姿勢でスライド体２に固定されている。
【００４８】
上側のストッパー８は、上アーム３１が水平な横臥姿勢にあるときに、上アーム３１の基端部の前方を覆って位置する。正面視において、横臥姿勢にある上アーム３１の基端部は、上側のストッパー８によって隠される。そのため、仮にボンベ９が上アーム３１に当たる等して、上アーム３１に対して大きな荷重が作用しても、上アーム３１の基端部がストッパー８に当たって止まることで、上アーム３１が前方に傾くことは抑えられる。
【００４９】
下側のストッパー８は、上側のストッパー８と同様の構成を備えている。つまり、下側のストッパー８は、スライド体２の前部の下端部に固定された、平板状の金属板８１で構成されている。この金属板８１は、その厚み方向が前後方向となるように、縦置きの姿勢でスライド体２に固定されている。
【００５０】
下側のストッパー８は、下アーム３３が水平な横臥姿勢にあるとき、下アーム３３の基端部の前方を覆って位置する。正面視において、横臥姿勢にある下アーム３３の基端部は、下側のストッパー８によって隠される。そのため、下アーム３３に対して大きな荷重が作用しても、下アーム３３の基端部がストッパー８に当たって止まることで、下アーム３３が前方に傾くことは抑えられる。
【００５１】
上記したように、図２から図８に示す転倒防止装置１０は、両側タイプの転倒防止装置１０である。そのため、スライド体２に含まれる縦片２１の左側に、上下二つのジョイント５を介して左側のアーム部３が回転自在に支持され、縦片２１の右側に、上下二つのジョイント５を介して右側のアーム部３が回転自在に支持されている。
【００５２】
より詳細には、縦片２１の上部の左側に、ジョイント５を介して左側の上アーム３１が回転自在に支持され、縦片２１の上部の右側に、ジョイント５を介して右側の上アーム３１が回転自在に支持されている。同様に、縦片２１の下部の左側に、ジョイント５を介して左側の下アーム３３が回転自在に支持され、縦片２１の下部の右側に、ジョイント５を介して右側の下アーム３３が回転自在に支持されている。
【００５３】
上側のストッパー８を構成する金属板８１は、左側の上アーム３１の傾きを抑える機能と、右側の上アーム３１の傾きを抑える機能の、両方を有する。つまり、上側の金属板８１の左側の半部によって、左側の上アーム３１の傾きを抑えることができ、この金属板８１の右側の半部によって、右側の上アーム３１の傾きを抑えることができる。
【００５４】
同様に、下側のストッパー８を構成する金属板８１は、左側の下アーム３３の傾きを抑える機能と、右側の下アーム３３の傾きを抑える機能の、両方を有する。下側の金属板８１の左側の半部によって、左側の下アーム３３の傾きを抑えることができ、この金属板８１の右側の半部によって、右側の下アーム３３の傾きを抑えることができる。
【００５５】
また、両側タイプの転倒防止装置１０においては、左右のアーム部３同士を起立姿勢Ｐ３１で互いに連結させるフック式の連結機構４を、更に備えている。図４、図５に示すように、連結機構４は、左側のアーム部３の一部（左側の上アーム３１の長さ方向の中間部分）に回転自在に設置されたフック４０を含み、このフック４０が右側のアーム部３の一部（右側の上アーム３１の長さ方向の中間部分）に着脱自在に引っ掛かるようになっている。
【００５６】
フック４０の数は一つに限定されず、複数のフック４０を備えることも可能である。また、フック４０を設ける個所は左側のアーム部３の一部に限定されず、右側のアーム部３の一部にフック４０を設けることも可能であり、また、左右のアーム部３の両方に設けることも可能である。
【００５７】
以上、図２から図８に基づいて、両側タイプの転倒防止装置１０について説明した。図１に示すように、一実施形態のガス充填用設備１は、一面側において両側タイプの転倒防止装置１０を四つ備え、片側タイプの転倒防止装置１０を二つ備えており、これの反対面側においても同様の配置がなされている。したがって、一実施形態のガス充填用設備１では、一面側と反対面側のそれぞれにおいて、都合２０本のボンベ９の転倒を防止しながら、各ボンベ９にガスを充填することが可能である。
【００５８】
次に、一実施形態のガス充填用設備１を用いて、ボンベ９にガスを充填する手順について説明する。
【００５９】
ガス充填の作業を行っていないときは、転倒防止装置１０のスライド体２は収納位置Ｐ２１にセットし、アーム部３は起立姿勢Ｐ３１にセットする（図２参照）。これにより、転倒防止装置１０はコンパクトに収納され、他の作業の邪魔になることが抑えられる。また、転倒防止装置１０に何らかの外力が加わって破損することが抑えられる。
【００６０】
作業者は、充填台１２に充填対象のボンベ９を立て掛けた後に、対応する個所の転倒防止装置１０のスライド体２を前方に引っ張り、引出し位置Ｐ２２にまでスライドさせる（図３参照）。
【００６１】
次いで、作業者は、起立姿勢Ｐ３１にあったアーム部３を倒し、横臥姿勢Ｐ３２に至るまで回転させる（図４、図５参照）。このとき、両側タイプの転倒防止装置１０においては、まずフック４０を外した後に、左右のアーム部３を互いに離れる方向に回転させる。アーム部３の回転速度は、トルクヒンジ５０で生じるトルクによって低減されるので、アーム部３が急に倒れるような事態が抑えられる。
【００６２】
左右のアーム部がともに横臥姿勢Ｐ３２にあるとき、左側のアーム部３と右側のアーム部３は、水平方向において互いに離れる方向に突出する。詳しくは、左側のアーム部３に含まれる上アーム３１と、右側のアーム３に含まれる上アーム３１が、水平方向において互いに離れるように一直線状に突出する。同様に、左側のアーム部３に含まれる下アーム３３と、右側のアーム３に含まれる下アーム３３が、水平方向において互いに離れるように一直線状に突出する。
【００６３】
この状態において、アーム部３はボンベ９の前方を横切るように位置する。仮に地震等が発生したときにも、アーム部３がボンベ９の転倒を防止するように機能する。
【００６４】
ガスの充填作業が完了すれば、逆の手順で転倒防止装置１０を収納する。つまり、横臥姿勢Ｐ３２にあったアーム部３を持ち上げて起立姿勢Ｐ３１とした後に、スライド体２を押し込んで収納位置Ｐ２１にまでスライドさせる。
【００６５】
上記の作業を何回も繰り返すことで、多数のボンベ９に順次ガスを充填することができる。しかも、各回における転倒防止のための作業は、転倒防止装置１０を用いて簡単にかつ一括的に行うことができる。そのため、全体の作業効率が大幅に向上する。
【００６６】
（変形例）
上記した転倒防止装置１０及びこれを備えたガス充填用設備１は、一実施形態に過ぎず、同様の作用効果を奏する範囲内において適宜に設計変更をすることが可能である。
【００６７】
例えば、一実施形態の転倒防止装置１０においてアーム部３は起倒自在な二本のアーム（上アーム３１と下アーム３３）を備えているが、これに限定されず、上アーム３１、下アーム３３と同様の起倒可能なアームを一本又は三本以上備えることも可能である。一本のアームを備える場合には、連結機構４は不要である。三本以上のアームを備える場合には、これらのアームを連動させる連結機構４を備えることが好ましい。
【００６８】
また、一実施形態の転倒防止装置１０では、連結機構４として上記のフック式の機構を備えているが、他の方式を用いることも可能である。例えば、左右のアーム部３の各々に、ボール等の係止体が弾性的に突出する構造のプランジャを設け、左右のアーム部３が起立姿勢Ｐ３１にあるときに、各プランジャから突出した係止体がスライド体２に弾性的に引っ掛かるように設けることも可能である。
【００６９】
また、一実施形態の転倒防止装置１０では、ジョイント５としてトルクヒンジ５０を用いているが、同様のトルクを発生させるものであれば他の構造のジョイントを採用することも可能である。
【００７０】
また、一実施形態のガス充填用設備１は、転倒防止装置１０として両側タイプのものと片側タイプのものを備えているが、両側タイプの転倒防止装置１０だけを一つ又は複数備えることも可能であるし、片側タイプの転倒防止装置１０だけを一つ又は複数備えることも可能である。
【００７１】
また、一実施形態においては、転倒防止装置１０をガス充填用設備１に設けているが、転倒防止装置１０を設置する対象は、ガス充填用設備１に限定されない。ボンベ９を立て掛けて収容する設備であれば、同様の転倒防止装置１０を好適に設置することができる。
【００７２】
（作用効果）
以上、一実施形態及び変形例に基づいて説明したように、本発明の転倒防止装置１０は、第１の特徴として以下の構成を具備する。本発明の転倒防止装置１０は、立て掛けられた状態のボンベ９が前方に転倒することを防止する装置であって、スライド体２とアーム部３とを備える。スライド体２は、収納位置Ｐ２１とこれより前方の引出し位置Ｐ２２との間で、前後にスライド自在である。アーム部３は、スライド体２に、起立姿勢Ｐ３１と横臥姿勢Ｐ３２との間で起倒自在となるように支持されている。スライド体２が引出し位置Ｐ２２にあり、かつ、アーム部３が横臥姿勢Ｐ３２にあるときに、アーム部３がボンベ９の前方を横切るように位置し、ボンベ９の転倒を防止する。
【００７３】
第１の特徴を具備する本発明の転倒防止装置１０によれば、作業者は、収納位置Ｐ２１にあったスライド体２を前方にスライドさせて引出し位置Ｐ２２にセットし、次いで、起立姿勢Ｐ３１にあったアーム部３を倒して横臥姿勢Ｐ３２にセットするという簡単な作業で、立て掛けられたボンベ９が前方に倒れることを効果的に防止することができる。そのため、従来のようにボンベ９の胴部にチェーンを掛けていく作業に比べて、簡単にかつ短時間で作業を完了することができる。加えて、本発明の転倒防止装置１０によれば、不使用時は全体をコンパクトに収納することができるので、不使用時の転倒防止装置１０が他の作業の邪魔になることや、不使用時において転倒防止装置１０が破損することが抑えられる。
【００７４】
また、本発明の転倒防止装置１０は、第２の特徴として、第１の特徴に加えて以下の構成を具備する。本発明の転倒防止装置１０において、アーム部３は、上アーム３１と、これより下方に位置する下アーム３３と、上アーム３１と下アーム３３を連動させるリンク機構３５とを含む。
【００７５】
第２の特徴を具備する本発明の転倒防止装置１０によれば、上アーム３１と下アーム３３を用いて、上下の二か所でボンベ９の転倒を防止することができ、しかも、上アーム３１と下アーム３３は連動するので作業が簡単である。
【００７６】
また、本発明の転倒防止装置１０は、第３の特徴として、第１または第２の特徴に加えて以下の構成を具備する。本発明の転倒防止装置１０において、アーム部３は、回転時にこれに抗するトルクを発生させるジョイント５を介して、スライド体２に対して起倒自在に支持されている。
【００７７】
第３の特徴を具備する本発明の転倒防止装置１０によれば、アーム部３が急に回転することが抑えられるので、作業の安全性が向上する。
【００７８】
また、本発明の転倒防止装置１０は、第４の特徴として、第１から第３のいずれか一つの特徴に加えて以下の構成を具備する。本発明の転倒防止装置１０において、アーム部３は、スライド体２に対して左側と右側にそれぞれ設けられ、左右のアーム部３がともに横臥姿勢Ｐ３２にあるとき、左右のアーム部３は、互いに離れる方向に突出する。
【００７９】
第４の特徴を具備する本発明の転倒防止装置１０によれば、転倒防止装置１０の左右の両側においてボンベ９の転倒を防止することができ、一つの転倒防止装置１０でより多くのボンベ９の転倒を防止することが可能となる。
【００８０】
また、本発明の転倒防止装置１０は、第５の特徴として、第４の特徴に加えて以下の構成を具備する。本発明の転倒防止装置１０において、左右のアーム部３がともに起立姿勢Ｐ３１にある状態で、左右のアーム部３を着脱自在に連結させる連結機構４を備える。
【００８１】
第５の特徴を具備する本発明の転倒防止装置１０によれば、連結機構４を利用して、左右のアーム部３を起立姿勢Ｐ３１で安定的に保持することができる。
【００８２】
また、本発明の転倒防止装置１０は、第６の特徴として、第５の特徴に加えて以下の構成を具備する。本発明の転倒防止装置１０において、連結機構４は、左右のアーム部３の一方に設けられたフック４０を含む。フック４０は、左右のアーム部３の他方に着脱自在に引っ掛かる。
【００８３】
第６の特徴を具備する本発明の転倒防止装置１０によれば、フック４０を利用したシンプルな構造で、左右のアーム部３を起立姿勢Ｐ３１で安定的に保持することができる。
【００８４】
また、本発明の転倒防止装置１０は、第７の特徴として、第１から第６のいずれか一つの特徴に加えて以下の構成を具備する。本発明の転倒防止装置１０は、スライド体２を前後にスライド自在に支持する複数のスライドレール６を備える。複数のスライドレール６の各々は、前後にスライド自在に連結された二つのレール６４，６６を有し、複数のスライドレール６のうち、一つのスライドレール６において二つのレール６４，６６が重なる方向と、他のスライドレール６において二つのレール６４，６６が重なる方向は、互いに異なる。
【００８５】
第７の特徴を具備する本発明の転倒防止装置１０によれば、スライド体２のぐらつきが抑えられ、特にスライド体２を前方に引き出したときに下に落ちることが抑えられる。
【００８６】
また、本発明の転倒防止装置１０は、第８の特徴として、第１から第７のいずれか一つの特徴に加えて以下の構成を具備する。本発明の転倒防止装置１０は、スライド体２に取り付けられたストッパー８を備える。ストッパー８は、アーム部３が横臥姿勢Ｐ３２にあるときに、アーム部３が前方に傾くことを抑えるものである。
【００８７】
第８の特徴を具備する本発明の転倒防止装置１０によれば、例えば、立て掛けてあったボンベ９が前方に倒れる等してアーム３部に当たっても、これによりアーム３部が前方に傾くことは抑えられる。
【００８８】
また、本発明のガス充填用設備１は、上記した特徴を備える転倒防止装置１０と、ボンベ９が立て掛けられる充填台１２と、充填台１２に設置され、ボンベ９にガスを充填するように設けられた充填装置１４とを備える。
【００８９】
本発明のガス充填用設備１によれば、作業者は、ボンベ９へのガス充填作業を行うにあたって、収納位置Ｐ２１にあったスライド体２を前方にスライドさせて引出し位置Ｐ２２にセットし、次いで、起立姿勢Ｐ３１にあったアーム部３を倒して横臥姿勢Ｐ３２にセットするという簡単な作業で、ガス充填時のボンベ９が地震等を原因として前方に倒れることを防止することができる。加えて、本発明のガス充填用設備１によれば、転倒防止装置１０をンパクトに収納することができるので、不使用時の転倒防止装置１０が他の作業の邪魔になることや、不使用時において転倒防止装置１０が運搬中のボンベ９に接触する等して破損することが抑えられる。
【符号の説明】
【００９０】
１  ガス充填用設備
１０  転倒防止装置
１２  充填台
１４  充填装置
２  スライド体
３  アーム部
３１  上アーム
３３  下アーム
３５  リンク機構
４  連結機構
４２  フック
５  ジョイント
６  スライドレール
６４  レール
６６  レール
８  ストッパー
９  ボンベ
Ｐ２１  収納位置
Ｐ２２  引出し位置
Ｐ３１  起立姿勢
Ｐ３２  横臥姿勢
【図１】
2020204359.tif 000003
【図２】
2020204359.tif 000004
【図３】
2020204359.tif 000005
【図４】
2020204359.tif 000006
【図５】
2020204359.tif 000007
【図６】
2020204359.tif 000008
【図７】
2020204359.tif 000009
【図８】
2020204359.tif 000010
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
立て掛けられた状態のボンベが前方に転倒することを防止する装置であって、
収納位置とこれより前方の引出し位置との間で、前後にスライド自在なスライド体と、
前記スライド体に、起立姿勢と横臥姿勢との間で起倒自在となるように支持されたアーム部と、を備え、
前記スライド体が前記引出し位置にあり、かつ、前記アーム部が前記横臥姿勢にあるときに、前記アーム部が前記ボンベの前方を横切るように位置し、前記ボンベの転倒を防止するものであり、
前記アーム部は、上アームと、これより下方に位置する下アームと、前記上アームと前記下アームを連動させるリンク機構と、を含む
転倒防止装置。
【請求項２】
立て掛けられた状態のボンベが前方に転倒することを防止する装置であって、
収納位置とこれより前方の引出し位置との間で、前後にスライド自在なスライド体と、
前記スライド体に、起立姿勢と横臥姿勢との間で起倒自在となるように支持されたアーム部と、を備え、
前記スライド体が前記引出し位置にあり、かつ、前記アーム部が前記横臥姿勢にあるときに、前記アーム部が前記ボンベの前方を横切るように位置し、前記ボンベの転倒を防止するものであり、
前記アーム部は、回転時にこれに抗するトルクを発生させるジョイントを介して、前記スライド体に対して起倒自在に支持されている
転倒防止装置。
【請求項３】
立て掛けられた状態のボンベが前方に転倒することを防止する装置であって、
収納位置とこれより前方の引出し位置との間で、前後にスライド自在なスライド体と、
前記スライド体に、起立姿勢と横臥姿勢との間で起倒自在となるように支持されたアーム部と、を備え、
前記スライド体が前記引出し位置にあり、かつ、前記アーム部が前記横臥姿勢にあるときに、前記アーム部が前記ボンベの前方を横切るように位置し、前記ボンベの転倒を防止するものであり、
前記アーム部は、前記スライド体に対して左側と右側にそれぞれ設けられ、
左右の前記アーム部がともに前記横臥姿勢にあるとき、左右の前記アーム部は、互いに離れる方向に突出する
転倒防止装置。
【請求項４】
左右の前記アーム部がともに前記起立姿勢にある状態で、左右の前記アーム部に着脱自在に連結させる連結機構を、備える
請求項３の転倒防止装置。
【請求項５】
前記連結機構は、左右の前記アーム部の一方に設けられたフックを含み、
前記フックは、左右の前記アーム部の他方に着脱自在に引っ掛かる
請求項４の転倒防止装置。
【請求項６】
立て掛けられた状態のボンベが前方に転倒することを防止する装置であって、
収納位置とこれより前方の引出し位置との間で、前後にスライド自在なスライド体と、
前記スライド体に、起立姿勢と横臥姿勢との間で起倒自在となるように支持されたアーム部と、を備え、
前記スライド体が前記引出し位置にあり、かつ、前記アーム部が前記横臥姿勢にあるときに、前記アーム部が前記ボンベの前方を横切るように位置し、前記ボンベの転倒を防止するものであり、
前記スライド体を前後にスライド自在に支持する複数のスライドレールを、更に備え、
前記複数のスライドレールの各々は、前後にスライド自在に連結された二つのレールを有し、
前記複数のスライドレールのうち、一つのスライドレールにおいて前記二つのレールが重なる方向と、他のスライドレールにおいて前記二つのレールが重なる方向は、互いに異なる
転倒防止装置。
【請求項７】
前記スライド体に取り付けられたストッパーを、更に備え、
前記ストッパーは、前記アーム部が前記横臥姿勢にあるときに、前記アーム部が前方に傾くことを抑えるものである
請求項１から６のいずれか一項の転倒防止装置。
【請求項８】
請求項１から７のいずれか一項の転倒防止装置と、
前記ボンベが立て掛けられる充填台と、
前記充填台に設置され、前記ボンベにガスを充填するように設けられた充填装置と、を備える
ガス充填用設備。